(57)【特許請求の範囲】
【請求項１】
紙層を基材とした積層材料からなる液体用紙容器の注出口に容器内側から溶着される注出口密封フィルムであって、前記注出口には、注出口を内側から覆う注出口密封フィルム、および注出口の外側の周縁近傍に設けられる外フィルムと、外フィルムの上に溶着される口栓とがそれぞれ設けられ、前記注出口密封フィルムは、容器内側と溶着する乳白表面樹脂層、基材層、内容物側と接する着色表面樹脂層の層構成からなることを特徴とする注出口密封フィルム。
【請求項２】
前記着色表面樹脂層を黒色層としたことを特徴とする請求項１に記載の注出口密封フィルム。
【請求項３】
前記乳白表面樹脂層および着色表面樹脂層として使用される樹脂がポリエチレン樹脂であることを特徴とする請求項１あるいは請求項２に記載の注出口密封フィルム。
【請求項４】
注出口密封フィルムの基材層をガスバリヤー性を有する樹脂により成形したことを特徴とする、請求項１ないし請求項３のいずれかに記載の注出口密封フィルム。
【請求項５】
紙を基材とした積層材料かなる液体用紙容器であって、注出口が設けられ、前記注出口には、該注出口を内側より覆う密封フィルムおよび外側に外フィルムが設けられ、外フィルム上に溶着される口栓が設けられ、前記密封フィルムが請求項１ないし請求項４のいずれか１項に記載の注出口密封フィルムを用いたことを特徴とする液体用紙容器。
【発明の詳細な説明】
【０００１】
【産業上の利用分野】
本発明は、アルミニウム箔を用いない積層構成からなる液体紙容器の注出口を密封する注出口密封フィルムとそれを用いた液体用紙容器に関するものである。
【０００２】
【従来の技術】
従来液体を充填する容器としては、プラスチック製容器が使用されていたが、近年、内
容物を使用した後の容器の廃棄が環境問題を生じるため、プラスチック製容器の代わりに液体用紙容器が使用され始めている。上記液体用紙容器は、使用状態により酸素、水蒸気等のガス遮断性を有するアルミニウム箔を積層した積層材料が使用されることがあった。しかし、アルミニウム箔は焼却すると塊となるため、プラスチック製容器と同様に、廃棄の場合に環境問題が生じた。そのため、アルミニウム箔の代わりに、アルミニウム箔とほぼ等しい酸素、水蒸気等のガス遮断性を有するケイ素酸化物等の無機化合物を蒸着、スパッタリング等の方法により設けた積層材料が用いられていた。
【０００３】
また、上記液体用紙容器は内容物である液体用の注出口が設けられており、この注出口は密封フィルムにより覆われていた。そして、上記密封フィルムにガス遮断性を持たせるためには、アルミニウム箔を含んだ積層材料を使用しなくてはならず、容器本体と同様な環境問題が生じていた。そのため、上記密封フィルムには容器と同様にガス遮断性を有する、アルミニウム箔を積層しない積層材料が使用されはじめていた。この積層材料の具体的積層構成として、少なくともケイ素酸化物等の蒸着層を有するガス遮断性樹脂フィルム／黒色樹脂フィルムからなる積層材料が使用された。
【０００４】
上記のように、密封フィルムとして上記積層材料を使用する理由は、容器成形工程での密封フィルムが確かに設けられているのかを光により検査可能とするためである。ここで、ガス遮断性を有する基材層自体を着色してもよいが、密封フィルムの強度、内容物に対する衛生上の問題、価格の問題、積層間の密着強度等の問題により、通常上記のような積層材料が使用される。
【０００５】
上記黒色樹脂フィルムの素材としては、ポリエチレン樹脂が使用される。これは、注出口を開口する時に容易に開口できるためであり、衛生上の問題が無いためである。また、ポリエチレン樹脂の他にポリプロピレン樹脂等も内容物に応じて使用されることがある。
【０００６】
【発明が解決しようとする課題】
しかしながら、上述のアルミニウム箔を含まない積層材料を用いた場合、液体用紙容器の注出口を密封フィルムで覆う、いわゆる窓貼り工程適性には問題が生じないが、注出口に口栓を取り付ける工程で問題が生じる。すなわち、口栓は注出口に外側から取付られ、そのため、注出口の外面には熱ヒーター等により熱が与えられるが、この熱が密封フィルムの黒色樹脂フィルムに吸収され、密封フィルムが溶融して穴が生じることがあった。
【０００７】
これに対し、黒色樹脂フィルムを用いず、例えば、乳白層／基材層からなる積層材料を注出口用積層材料として用いた場合、密封フィルムの溶融による穴開きは生じないが、注出口の窓貼りの検査ができない問題が生じる。つまり、これはアルミニウム箔を用いない積層材料からなる密封フィルムの色と容器内部の色が非常に類似しているので、密封フィルムを注出口に貼り忘れても確認することができないためである。
【０００８】
そこで、本発明は、アルミニウム箔を用いない積層材料からなる液体用紙容器の注出口の密封フィルムの貼り忘れを確実に検査することができ、しかも口栓の溶着時において溶融による穴開きを防止できる注出口密封フィルムとそれを用いた液体用紙容器を提供するものである。
【０００９】
【課題を解決するための手段】
本発明は、上記課題を解決するためになされたものであり、紙層を基材とした積層材料からなる液体用紙容器の注出口に容器内側から溶着される注出口密封フィルムであって、前記注出口には、注出口を内側から覆う注出口密封フィルム、および注出口の外側の周縁近傍に設けられる外フィルムと、外フィルムの上に溶着される口栓とがそれぞれ設けられ、前記注出口密封フィルムは、容器内側と溶着する乳白表面樹脂層、基材層、内容物側と
接する着色表面樹脂層の層構成からなることを特徴とする注出口密封フィルムである。
【００１０】
また、前記着色表面樹脂層を黒色層としたことを特徴とする注出口密封フィルムである。
【００１１】
また、前記乳白表面樹脂層および着色表面樹脂層として使用される樹脂がポリエチレン樹脂であることを特徴とする注出口密封フィルムである。
【００１２】
また、注出口密封フィルムの基材層をガスバリヤー性を有する樹脂により成形したことを特徴とする注出口密封フィルムである。
【００１３】
また、紙を基材とした積層材料からなる液体用紙容器であって、注出口が設けられ、前記注出口には、該注出口を内側より覆う密封フィルムおよび外側に外フィルムが設けられ、外フィルム上に溶着される口栓が設けられ、前記密封フィルムが請求項１ないし請求項４のいずれかに１項に記載の注出口密封フィルムを用いたことを特徴とする液体用紙容器である。
【００１４】
【作用】
本発明の注出口密封フィルムは上述のごとく、容器内側と溶着する乳白表面樹脂層、基材層、内容物側と接する着色表面樹脂層の層構成からなるので着色表面樹脂層の色を関知することにより、注出口密封フィルムの貼り忘れを確実に検査でき、また、口栓を溶着するために使用されるヒーターの熱は、外側に露出する乳白表面樹脂層には吸収されず、密封フィルムの溶融による穴開きが防止されている。
【００１５】
また、基材としてガス遮断性層を用ることにより、容器本体にガスバリヤー性を持たせることができ、内容物の劣化を防止することができる。
【００１６】
【実施例】
本発明の液体用容器の積層材料の基材としては、紙が使用される。また、容器本体のガス遮断性を有する層としては、例えば、ケイ素酸化物等の無機化合物を蒸着したフィルム、エチレン−ビニルアルコール共重合体等のバリヤー性フィルムが使用されるが、内容物の種類により適宜選択して使用する。
【００１７】
紙層を基材とした積層材料を容器内側から溶着される本発明の注出口密封フィルムとして使用する容器の形状は、容器本体の天井部がゲーベルトップ型、煉瓦形状でもよく、容器本体の形状には関係なく、内容物の排出用の注出口を設けていれば良く、注出口の形状は丸形状、四角形状等の形状をしていても良い。そして、注出口の外側の周縁近傍には、口栓を溶着するためのに外フィルムが設けられる。この外フィルムとしては、容器本体および口栓に溶着可能なフィルムを使用すればよく、その形状は注出口の形状より僅かに内径が小さいドーナツ状で形状をしているものでもよく、また、注出口を覆うような円形状をしているものでも良い。
【００１８】
本発明の注出口密封フィルムは、容器内側と溶着する乳白表面樹脂層、基材層、内容物側と接する着色表面樹脂層の層構成からなる。着色表面樹脂層は、密封フィルムの貼り忘れを確認するために使用される、検査用の光の通過の有無、あるいは反射、色差等により検査をするために設ける層である。
【００１９】
また、乳白表面樹脂層は、注出口に口栓を溶着するときに使用するヒーターの熱を吸収せず、注出口密封フィルムの穴開きを防止するために設ける層である。注出口を容器の内側から溶着密封する注出口密封フィルムは、内容物が食品の場合は食品衛生上問題の無い
フィルムが使用される。そして、基材にガスバリヤー性を有する樹脂を使用する場合は、ポリエチレンテレフタレート、延伸ポリプロピレン、延伸ナイロン等が使用でき、さらに、上記フィルムにケイ素酸化物層等の無機化合物層や、酸化マグネシウム層、アルミナ層等の金属層を設けることにより、バリヤー性を向上させることができる。
【００２０】
また、乳白表面樹脂層としては、チタンホワイト、炭酸カルシウム等の白色顔料をポリエチレン等の樹脂に含有させたり、または、樹脂フィルムに白色印刷をすることにより材料を乳白化して樹脂フィルムとして用いることができる。また、内容物と接する着色表面樹脂層は、上記乳白表面樹脂層と同様に、樹脂にカーボンブラック等の着色顔料を含有させればよい。また、樹脂フィルムの表面に着色印刷を設けることによって、着色表面樹脂層を形成することもできる。しかし、印刷層により着色表面樹脂層を設ける場合は、内容物に印刷インキが溶け出る場合は使用することはできない。
【００２１】
また、着色表面樹脂層および乳白表面樹脂層として使用される樹脂は、ポリエチレン、ポリプロピレン、ナイロン、ポリエステル等であり、特にポリエチレンが使用される。また、注出口密封フィルムの層厚は４０〜８０μｍ程度の厚さが望ましく、各層の厚さは、乳白表面樹脂層において２０〜４０μｍ、着色表面樹脂層においては１０〜４０μｍの範囲の厚さに成るように形成する。
【００２２】
本発明の一実施例を以下に図面を用いて説明する。本実施例に使用される容器本体の積層材料は、紙層を基材としてポリエチレンテレフタレートにケイ素酸化物を蒸着させたフィルムを、バリヤー性フィルムとして積層した材料である。この積層材料より注出口を設けられたブランクスが成形され、このブランクスを折り曲げ容器本体を成形する。
【００２３】
容器成型時には外フィルム２は注出口周縁を覆うように溶着される。外フィルム２の形状は円形状であり、層構成はポリエチレン（４０μｍ）／ポリエチレンテレフタレート（１２μｍ）／ポリエチレン（４０μｍ）とする。また、注出口密封フィルムは注出口を容器の内側から覆うように、注出口の周縁に溶着され、形状は円形状である。層構成は、チタンホワイトを混合したポリエチレンかなる乳白ポリエチレン３（３０μｍ）／ケイ素酸化物を蒸着したポリエチレンテレフタレート４（１２μｍ）／カーボンブラックを混合したポリエチレンからなる黒色ポリエチレン５（４０μｍ）とする。
【００２４】
上記のように成形された容器に、内容物を充填し頂部を熱接着して密封した図が、図１に示されている。次いで、ヒーターにより外フィルム２を熱して口栓６を溶着して、図２に示されるような容器を成形する。また、口栓６は、内容物を充填後に取り付けても良い。
【００２５】
以下本発明と従来例の比較をする。
〈積層構成〉
実施例の注出口密封フィルム
乳白ポリエチレン（３０μｍ）／ケイ素酸化物を蒸着したポリエチレンテレフタレート（１２μｍ）／黒色ポリエチレン（４０μｍ）とする。
比較例の注出口密封フィルム
ケイ素酸化物を蒸着したポリエチレンテレフタレート（１２μｍ）／黒色ポリエチレン（４０μｍ）とする。
【００２６】
外フィルムは実施例および比較例とも皮下有りの実施例と同様なフィルムを使用する。〈実験方法〉口栓を溶着する時に用いるヒーターを用いて、２００個の容器において外フィルムを加熱した際の注出口密封フィルムの穴開け数を比較する。
【００２７】
表１に実験結果を示す。
【００２８】
【表１】
0003575088.tif 000002
【００２９】
表１に示すように、口栓をつけるために外フィルムを熱する口栓溶着時において、比較例では注出口密封フィルムに穴が生じるが、本発明の実施例ではこのような問題が生じない。なお、両者とも内側に黒色樹脂フィルムを用いているので、容器成型時での注出口密封フィルムの貼り忘れの検査を確実に行うことができた。
【００３０】
【発明の効果】
以上説明したように、本発明の注出口密封フィルムにおいて、口栓を溶着するためのヒーターで加熱されても、注出口密封フィルムに穴は生じない。
【００３１】
また、着色表面樹脂層を設けているので、容器成形時における注出口密封フィルムの貼り忘れを確実に検査をすることができる。
【００３２】
また、注出口密封フィルムにガスバリヤー層を積層すれば、容器と同様なガスバリヤー層を付与することができ、内容物の劣化を防止することができる。
【図面の簡単な説明】
【図１】本発明の一実施例を用いた液体用紙容器を示す一部断面図である。
【図２】図１の液体紙容器に口栓を溶着した後の状態を示す一部断面図である。
【符号の説明】
１……容器本体
２……外フィルム
３……乳白表面樹脂層
４……基材層
５……黒色層
６……口栓
【図１】
0003575088.tif 000003
【図２】
0003575088.tif 000004